(57)【要約】【課題】基地局装置から送信される報知情報を参照することなく、対象の基地局を判別することができる移動通信端末装置を提供する。【解決手段】ホームセル基地局とマクロセル基地局が混在する無線通信システムにおける移動通信端末装置であって、ホームセル基地局とマクロセル基地局のいずれかが送信した同期信号を判別するために予め記憶された同期信号の状態の情報を参照して、受信した同期信号がホームセル基地局とマクロセル基地局のいずれから送信した同期信号であるかを判別する判別手段と、判別手段によって判別したホームセル基地局の数がある予め決められたしきい値を超えた場合に無線アクセス方式を変更する方式変更手段とを具備する。【選択図】図１
2010147916.tif 000002
【特許請求の範囲】
【請求項１】
ホームセル基地局とマクロセル基地局が混在する無線通信システムにおける移動通信端末装置であって、
前記ホームセル基地局と前記マクロセル基地局のいずれかが送信した同期信号を判別するために予め記憶された前記同期信号の状態の情報を参照して、受信した同期信号が前記ホームセル基地局と前記マクロセル基地局のいずれから送信した同期信号であるかを判別する判別手段と、
前記判別手段によって判別したホームセル基地局の数がある予め決められたしきい値を超えた場合に無線アクセス方式を変更する方式変更手段と
を具備することを特徴とする移動通信端末装置。
【請求項２】
前記判別手段は、前記同期信号の周波数のシフト量によって、前記ホームセル基地局と前記マクロセル基地局のいずれから送信した同期信号であるかを判別することを特徴とする請求項１に記載の移動通信端末装置。
【請求項３】
前記判別手段は、前記同期信号の時間軸上におけるシンボル間隔長によって、前記ホームセル基地局と前記マクロセル基地局のいずれから送信した同期信号であるかを判別することを特徴とする請求項１に記載の移動通信端末装置。
【請求項４】
前記判別手段は、前記同期信号の種類が複数存在する場合に、その時間軸上の出現パターンの変化によって、前記ホームセル基地局と前記マクロセル基地局のいずれから送信した同期信号であるかを判別することを特徴とする請求項１に記載の移動通信端末装置。
【請求項５】
前記判別手段は、前記同期信号生成に用いられる系列の差異によって、前記ホームセル基地局と前記マクロセル基地局のいずれから送信した同期信号であるかを判別することを特徴とする請求項１に記載の移動通信端末装置。
【請求項６】
前記判別手段は、前記同期信号に含まれる無信号の配置パターンによって、前記ホームセル基地局と前記マクロセル基地局のいずれから送信した同期信号であるかを判別することを特徴とする請求項１に記載の移動通信端末装置。
【請求項７】
前記判別手段は、前記同期信号のＤＣサブキャリアの周波数配置によって、前記ホームセル基地局と前記マクロセル基地局のいずれから送信した同期信号であるかを判別することを特徴とする請求項１に記載の移動通信端末装置。
【請求項８】
前記判別手段は、受信した前記同期信号の状態に基づく判別結果が前記ホームセル基地局である場合に、前記ホームセル基地局がオープンアクセスであるかＣＳＧ（Closed Subscriber Group）であるかをさらに判別することを特徴とする請求項１から７のいずれかに記載の移動通信端末装置。
【請求項９】
前記方式変更手段は、セルサーチの時間間隔を変えることによって前記無線アクセス方式を変更することを特徴とする請求項１から８のいずれかに記載の移動通信端末装置。
【請求項１０】
前記方式変更手段は、セルサーチの周波数帯を変えることによって前記無線アクセス方式を変更することを特徴とする請求項１から８のいずれかに記載の移動通信端末装置。
【請求項１１】
前記方式変更手段は、前記ホームセル基地局へのアクセスを停止することによって無線アクセス方式を変更することを特徴とする請求項１から８のいずれかに記載の移動通信端末装置。
【発明の詳細な説明】
【技術分野】
【０００１】
本発明は、無線通信システムにおける移動通信端末装置の無線アクセス方式に関する。
【背景技術】
【０００２】
近年、無線通信システムにおいては基地局装置（以下、基地局という）として、従来の広範囲なサービスエリアを有するマクロセルに加え、狭い範囲でのサービスや場合によっては特定のユーザのみに対するサービスを企図したホームセルが提案されている。３ＧＰＰ  Ｅ−ＵＴＲＡ（The 3rd Generation Partnership Project Evolved Universal Terrestrial Radio Access；第三世代パートナーシップ・プロジェクトのユニバーサル地上無線通信アクセスの進化）においてもホームセルの運用に関して検討されている（例えば、非特許文献１）。ホームセルとマクロセルを区別して無線アクセスを行う方法には次のような方式が提案されている。
【０００３】
移動通信端末装置（以下、移動局という）の移動に伴いセルの再選択を行うセルリセレクションのパラメータを変更して、マクロセルに在圏している移動局が自動的にホームセルを検出し、一度ホームセルに在圏した場合はそのホームセルの優先順位を上げる方式である。この方式は、セルリセレクションパラメータの変更には報知情報の受信が必要であるが、報知情報を受信したすべての移動局がホームセルに対する優先順位が上がるため、ホームセルがオープンアクセスではなくＣＳＧ（Closed Subscriber Group；特定の加入者グループ、たとえば会社では従業員、施設では利用者、家庭では家族など）であった場合にアクセスできない移動局が発生し、成功しないセルリセレクションが多数発生して、移動局の電池の電力消費が増加し、アクセスを拒否するためのシグナリング負荷がコアネットワークにおいて高まるという問題がある。
【０００４】
また、ＨＣＳ（Hierarchical Cell Structure；階層セル構造）を採用して、ホームセルとマクロセルを区別して異なるセルリセレクション動作をさせる方式もある。ＨＣＳ情報を定義する場合、基地局側では少なくとも包含するかあるいは隣接するホームセルの配置を的確に把握している必要があり、移動局がＨＣＳ情報を取得するためには報知情報の受信が必要である。また、異なるＰＬＭＮ  ＩＤ（Public Land Mobile Network ID；公衆移動通信網ＩＤ番号）をマクロセルとホームセルに与えて区別してアクセスする方式もある。この場合移動局がＰＬＭＮ  ＩＤを取得するためには報知情報の受信が必要であり、またホームセルが増加するとＰＬＭＮ  ＩＤが枯渇してしまうという問題がある。また従来は、マクロセル基地局に対する無線アクセス方式とホームセル基地局に対する無線アクセス方式には差異がなく同様の無線アクセス方式を使用しているため、報知情報を受信する必要がある（例えば特許文献１）。
【非特許文献１】３ＧＰＰ標準規格（３ＧＰＰ  ＴＲ２５．８２０）
【特許文献１】特開２００７−１２９４０５号公報
【発明の開示】
【発明が解決しようとする課題】
【０００５】
従来の無線通信方式においては、基地局がマクロセルであるかホームセルであるかを示す報知情報を送信し、移動局がこの報知情報を受信して基地局がマクロセルであるかホームセルであるかを判別する必要があるため、移動局はセルサーチを行い同期信号を受信して基地局からの下り信号と同期させた上でさらに報知情報を受信し復調および復号しなければならない。そのため基地局においては、包含するかあるいは隣接するホームセルの配置を的確に把握しておく必要があり、マクロセルと比べて頻繁に追加または廃止され得るホームセルの設置状況に常に把握しておくことは困難であるととともに、ホームセルが増加するとＰＬＭＮ  ＩＤが枯渇するという問題がある。一方、移動局においてはアクセス時間が増大し不要な消費電力消費が発生するという問題がある。
【０００６】
また、従来の無線通信方式においてはホームセルとマクロセルに対して同様の無線アクセス方式を使用しているため、ホームセルがオープンアクセスではなくＣＳＧ（Closed Subscriber Group）であった場合にアクセスできない移動局の成功しないセルリセレクションが多数発生するため、移動局の電力消費が増加し、アクセスを拒否するためのシグナリング負荷がコアネットワークにて高まり、不要な送受信によって干渉が増大するという問題がある。
【０００７】
本発明は、このような事情に鑑みてなされたもので、基地局装置から送信される報知情報を参照することなく、対象の基地局を判別することができる移動通信端末装置を提供することを目的とする。
【課題を解決するための手段】
【０００８】
本発明は、ホームセル基地局とマクロセル基地局が混在する無線通信システムにおける移動通信端末装置であって、前記ホームセル基地局と前記マクロセル基地局のいずれかが送信した同期信号を判別するために予め記憶された前記同期信号の状態の情報を参照して、受信した同期信号が前記ホームセル基地局と前記マクロセル基地局のいずれから送信した同期信号であるかを判別する判別手段と、前記判別手段によって判別したホームセル基地局の数がある予め決められたしきい値を超えた場合に無線アクセス方式を変更する方式変更手段とを具備することを特徴とする。
【０００９】
本発明は、前記判別手段は、前記同期信号の周波数のシフト量によって、前記ホームセル基地局と前記マクロセル基地局のいずれから送信した同期信号であるかを判別することを特徴とする。
【００１０】
本発明は、前記判別手段は、前記同期信号の時間軸上におけるシンボル間隔長によって、前記ホームセル基地局と前記マクロセル基地局のいずれから送信した同期信号であるかを判別することを特徴とする。
【００１１】
本発明は、前記判別手段は、前記同期信号の種類が複数存在する場合に、その時間軸上の出現パターンの変化によって、前記ホームセル基地局と前記マクロセル基地局のいずれから送信した同期信号であるかを判別することを特徴とする。
【００１２】
本発明は、前記判別手段は、前記同期信号生成に用いられる系列の差異によって、前記ホームセル基地局と前記マクロセル基地局のいずれから送信した同期信号であるかを判別することを特徴とする。
【００１３】
本発明は、前記判別手段は、前記同期信号に含まれる無信号の配置パターンによって、前記ホームセル基地局と前記マクロセル基地局のいずれから送信した同期信号であるかを判別することを特徴とする。
【００１４】
本発明は、前記判別手段は、前記同期信号のＤＣサブキャリアの周波数配置によって、前記ホームセル基地局と前記マクロセル基地局のいずれから送信した同期信号であるかを判別することを特徴とする。
【００１５】
本発明は、前記判別手段は、受信した前記同期信号の状態に基づく判別結果が前記ホームセル基地局である場合に、前記ホームセル基地局がオープンアクセスであるかＣＳＧ（Closed Subscriber Group）であるかをさらに判別することを特徴とする。
【００１６】
本発明は、前記方式変更手段は、セルサーチの時間間隔を変えることによって前記無線アクセス方式を変更することを特徴とする。
【００１７】
本発明は、前記方式変更手段は、セルサーチの周波数帯を変えることによって前記無線アクセス方式を変更することを特徴とする。
【００１８】
本発明は、前記方式変更手段は、前記ホームセル基地局へのアクセスを停止することによって無線アクセス方式を変更することを特徴とする。
【発明の効果】
【００１９】
本発明によれば、移動通信端末装置は報知情報を受信することなく、基地局がホームセル基地局であるかマクロセル基地局であるかを判別することができるため基地局においては、ホームセルの配置を的確に把握する必要がなく、ホームセル設置の自由度が高まるとともに、ＰＬＭＮ  ＩＤが枯渇してしまう問題が解決される。一方移動局においてはアクセス時間が短縮され、不要な消費電力の消費を抑えることができる。また、不要なセルリセレクションを抑制することが可能となり、移動局の電池消費の低減、コアネットワークのシグナリング負荷の低減、不要な送受信の排除により干渉の低減を実現することができるという効果が得られる。
【発明を実施するための最良の形態】
【００２０】
＜第１の実施形態＞
以下、本発明の第１の実施形態による移動通信端末装置を図面を参照して説明する。図１は同実施形態における無線通信システム全体の構成を示すブロック図である。この図において、符号１１０、１１１、１１２、１１３は携帯電話端末等の移動通信端末装置（移動局）である。符号１２０、１２１、１２２、１２３はホームセル基地局である。符号１３０、１３１はマクロセル基地局である。ホームセル基地局１２０、１２１、１２２、１２３およびマクロセル基地局１３０、１３１は、移動局１１０、１１１、１１２、１１３との間で無線通信回線を確立して無線通信による情報通信を行う基地局装置である。通常ホームセル基地局１２０、１２１、１２２、１２３は、マクロセル基地局１３０、１３１に比べてサービスを提供する範囲は狭いが設置数は多い。各基地局を囲む線は基地局電波の届く範囲を示しておりその領域に含まれる移動局においては基地局を観測することができる。たとえば移動局１１１ではマクロセル基地局１３０およびホームセル基地局１２２およびホームセル基地局１２３が観測される。
【００２１】
次に、図２を参照して、図１に示す移動局１１０、１１１、１１２、１１３の詳細な構成を説明する。図２は図１に示す移動局１１０、１１１、１１２、１１３の詳細な構成を示すブロック図である。移動局１１０、１１１、１１２、１１３は、それぞれ同様な構成であるため、ここでは、移動局１１０の構成を説明する。移動局１１０は、アンテナ部２０１、受信部２０２、セル種別判別部２０３、ホームセル数記憶部２０４、送信部２０５、通信制御部２０６及びアプリケーション部２０７を備えている。アンテナ部２０１は、送信部２０５からの無線信号を基地局に向けて送出するとともに、基地局からの無線信号の電波を受信してその信号を受信部２０２へ出力する。セル種別判別部２０３は、セルサーチ結果を判定する機能を持ち、検出されたセルがマクロセルであるかホームセルであるかを判別する。検出されるセルは複数である場合は無線通信システムでは通常よくあるため、検出された全てのセルそれぞれについてマクロセルであるかホームセルであるかを判別する。ホームセル数記憶部２０４は、セル種別判別部２０３からの判別結果情報に基づき検出されたホームセルの数をカウントして記憶する。通信制御部２０６は、ホームセル数記憶部２０４内に保持されているホームセルの数の値を参照して受信部２０２または送信部２０５に対して、無線アクセス方式の変更を指示する。アプリケーション部２０７は例えばユーザインタフェース、ブラウジング、メール等の処理を行う。なお、移動局１１０の構成を図２を参照して説明するに際して、移動局が普通に有する公知の機能・構成については、本発明の説明に直接関わりがない限り、その説明及び構成の図示を省略する。また、図２の移動局の構成は、以下の他の実施形態においても同様であるが、ただし、その機能は一部以下で説明するとおり相違する。
【００２２】
次に、図３を参照して、図２に示すセル種別判別部２０３の動作を説明する。図３は、基地局（マクロセル基地局またはホームセル基地局）から発信される同期信号の周波数帯の分布を示したものである。セル種別判別部２０３は受信した同期信号の周波数帯がｆ１からｆ２であった場合、マクロセル同期信号と判別する。ここでいう周波数帯とは複数のサブキャリアの分布によって示されるものである。セル種別判別部２０３内には、図３に示す周波数帯を判別するための周波数の値が予め記憶されており、この記憶されている周波数の値を参照して、検出した同期信号の周波数帯を特定することにより、マクロセルであるか、ホームセルであるかを判別する。例えば、図３に示すように周波数ｆ１またはｆ２と異なるｆ１Ａからｆ２Ａである同期信号を検出すればホームセルＡと判別し、周波数ｆ１Ｂからｆ２Ｂである同期信号を検出すればホームセルＢと判別する。このようにセル種別判別部２０３は、同期信号の周波数分布を特定することにより、対象の基地局がマクロセルであるかホームセルであるかを判別することができる。
【００２３】
また、周波数ｆ１より周波数帯が小の方向にシフトしていればオープンアクセス、周波数ｆ１より周波数帯が大の方向にシフトしていればＣＳＧであると定義してあれば、ｆ１Ａ＜ｆ１＜ｆ１Ｂの大小関係が成立しているので、ホームセルＡはオープンアクセスであり、ホームセルＢはＣＳＧであることを判別することが可能となる。図３の時間軸方向については説明のため各同期信号を異なる時刻で表示しているが時刻によらないものである。
【００２４】
この動作により移動局は、基地局から報知情報を受信せずに同期信号を受信するだけでマクロセルとホームセルの判別が可能となり、かつホームセルであった場合にオープンアクセスかＣＳＧかの判別も可能となる。
【００２５】
次に、図４を参照して、図２に示す移動局１１０のセルサーチの動作を説明する。まず、移動局１１０はセルサーチを実施する（ステップＳ１）。このとき、セル種別判別部２０３は、前述したマクロセルとホームセルの判別方法を用いてホームセルを検出する。そして、セル種別判別部２０３は、ホームセルを検出したか否かを判定する（ステップＳ２）。この判定の結果、ホームセルが検出されなかった場合にはステップＳ１へ戻る。一方、ホームセルが検出された場合、セル種別判別部２０３は、検出したホームセルの数をカウントして、ホームセル数記憶部２０４に記憶する（ステップＳ３）。ここで検出されるホームセルは複数の可能性がある。例えば、図１に示す移動局１１１では、ホームセル基地局１２２とホームセル基地局１２３の２つが検出され、さらにマクロセル基地局１３０も検出される。
【００２６】
次に、セル種別判別部２０３は、ホームセル数記憶部２０４に記憶されているホームセル数の値が予め設定されたしきい値を超えるか（ホームセル数＞しきい値）否かを判定する（ステップＳ４）。この判定の結果、しきい値を超えなかった場合にはステップＳ１へ戻る。一方、ホームセル数の値が予め設定されたしきい値を超えた場合、セル種別判別部２０３は、通信制御部２０６に対して、無線アクセス方式の変更を指示する（ステップＳ５）。これを受けて、通信制御部２０６は、指示された無線アクセス方式に切り替える。このしきい値は期待する動作に応じて変更が可能であり、たとえば、ホームセルが密集している状況で移動局の無線アクセス方式を変更したい場合にはしきい値を増加させる。無線アクセス方式の変更は、セルサーチの時間間隔（現時点より時間間隔と短くする、または、時間間隔を長くする）を変更する、セルサーチの周波数帯を変更する、ホームセルへのアクセスを停止する、オープンアクセスのホームセルであった場合にアタッチ要求する、以上４つの動作のうち少なくとも１つの動作を行う。なお、図４に示すセルサーチの動作は、以下の他の実施形態におけるセルサーチにも当てはまる。
【００２７】
このように、移動局は基地局からの報知情報を受信することなく、検出した同期信号の属性、すなわち周波数分布に基づいて基地局がホームセルであるかマクロセルであるかを判別が可能となるとともに、かつホームセルであった場合にオープンアクセスかＣＳＧかの判別も可能となる。
【００２８】
＜第２の実施形態＞
次に、本発明の第２の実施形態におけるセル種別判別部２０３の動作について説明する。図５は基地局から発信される同期信号のシンボル長とシンボル間干渉を目的として付加されたＣＰ（Cyclic Prefix；サイクリックプレフィックス）長の時間軸上における関係を示している。図５に示すように、同期信号の開始時刻がｔ１であるマクロセル信号のＣＰ長は時刻ｔ２からｔ３までであり、一方同期信号の開始時刻がｔ４であるホームセル信号のＣＰ長は時刻ｔ５からｔ６までである。セル種別判別部２０３は、予めセル種別判別部２０３内部に記憶されているマクロセル信号のＣＰ長情報（ＣＰ長を示す時刻ｔ２、ｔ３）とホームセル信号の時刻情報（ＣＰ長を示す時刻ｔ５、ｔ６）とを参照して、検出された同期信号の時刻情報（ＣＰ長を示す時刻）により、マクロセル信号であるか、ホームセル信号であるかを判別する。
【００２９】
また、得られたＣＰ長が予め決められたしきい値ｔｘより小の場合オープンアクセス、ＣＰ長がしきい値ｔｘより大であればＣＳＧであると定義してあれば、ＣＰ長の長さによって、特定したホームセルがオープンアクセスであるかＣＳＧであるかを判別することができる。
【００３０】
なお、図５においては説明のため周波数方向の配置に関してマクロセル信号が高周波側に示されており、ホームセル信号が低周波側に示されているが、本実施形態においては、ＣＰ長の時間方向長さの差異で区別することを特徴とするものであり、周波数帯の相対的配置はどのような配置であってもよい。また、時刻ｔ１と時刻ｔ４はそれぞれ異なっていてもよい。
【００３１】
この動作により、移動局は、基地局からの報知情報を受信せずに、検出した同期信号の属性、すなわち同期信号のサイクリックプレフィックスに基づいてマクロセルとホームセルの判別が可能になるとともに、かつホームセルであった場合にオープンアクセスかＣＳＧかの判別も可能となる。
【００３２】
＜第３の実施形態＞
次に、本発明の第３の実施形態におけるセル種別判別部２０３の動作について説明する。図６は、同期信号が主同期信号（同期信号Ａという）と副同期信号（同期信号Ｂという）の２種類の性質の異なるものから構成されている場合のマクロセル信号とホームセル信号の構成を示す図である。図６において、マクロセル信号は、同期信号が同期信号Ａと同期信号Ｂがその他の信号を挟んで交互に配列されている（ＡＢＡＢＡＢＡＢ）例を示している。一方、ホームセル信号は、同期信号が同期信号Ａ、同期信号Ａ、同期信号Ｂ、同期信号Ｂというように、同じ同期信号が２つ連続して交互に配列されている（ＡＡＢＢＡＡＢＢ）。セル種別判別部２０３は、検出した同期信号が、主同期信号（同期信号Ａ）であるか副同期信号（同期信号Ｂ）を判別する。そして、セル種別判別部２０３は、内部に記憶されているマクロセル信号であるかホームセル信号であるかを判別することができる同期信号の配列情報（図６に示す例では、「ＡＢＡＢ」と「ＡＡＢＢ」等）を参照して、検出した同期信号Ａ及び同期信号Ｂの配列状態が、記憶されている配列情報のいずれに該当するかによって、マクロセル信号であるかホームセル信号であるかを判別する。
【００３３】
図６に示す例では、同期信号の配列が、「ＡＢＡＢＡＢＡＢ」の場合にマクロセル信号とし、「ＡＡＢＢＡＡＢＢ」のホームセル信号としたが、同期信号Ａ、Ｂの配列は、これに限るものではなく、マクロセル信号であるかホームセル信号であるかを判別できればどのような配列であってもよい。
【００３４】
また、同期信号Ａ、Ｂの配列が「ＡＡＢＢＡＡＢＢ」の場合はオープンアクセス、「ＡＡＡＢＢＢＡＡＡＢＢＢ」の場合はＣＳＧと判別するようにしてもよい。この場合、セル種別判別部２０３内部には、「ＡＢＡＢＡＢＡＢ」、「ＡＡＢＢＡＡＢＢ」、「ＡＡＡＢＢＢＡＡＡＢＢＢ」の３種類の配列情報が予め記憶されており、これを参照することによって、マクロセル信号、ホームセル信号（オープンアクセス）、ホームセル信号（ＣＳＧ）のいずれかであることを判別する。
【００３５】
なお、図６においては説明のため周波数方向の配置に関してマクロセル信号が高周波側に示されており、ホームセル信号が低周波側に示されているが、本実施形態においては、同期信号Ａ、Ｂの配列の差異で区別することを特徴とするものであり、周波数帯の相対的配置はどのような配置であってもよい。また図６に示した同期信号Ａはマクロセルとホームセルで生成系列が完全に一致する場合のみを示しているのではなく、同期信号の区分として同一のグループに所属することを意味する。これは同期信号Ｂについても同様である。また信号のタイミングも図６においては説明のため各同期信号の時刻を同一として表示してあるが、これは異なっていてもよい。また図６においてはその他の信号の周波数帯が同期信号の周波数帯に限られているが、実際はそれ以外の周波数帯に広がっていてもよい。
【００３６】
この動作により報知情報を受信せずに同期信号を受信し、その配列を判別するだけでマクロセルとホームセルの判別が可能になるとともに、かつホームセルであった場合にオープンアクセスであるかＣＳＧであるかの判別も可能となる。
【００３７】
＜第４の実施形態＞
次に、本発明の第４の実施形態におけるセル種別判別部２０３の動作について説明する。図７は、マクロセルとホームセルそれぞれの同期信号が異なる系列から構成されている場合のマクロセル信号とホームセル信号の構成を示す図である。図７において、マクロセル信号は、同期信号が系列Ａの信号で構成され、一方、ホームセル信号は、同期信号が系列Ｂの信号で構成されている。セル種別判別部２０３は、検出した同期信号が、系列Ａの同期信号であるか、系列Ｂの同期信号であるかを判別する。そして、セル種別判別部２０３は、内部に記憶されているマクロセル信号は系列Ａの同期信号、ホームセル信号は系列Ｂの同期信号と関係付ける情報を参照して、検出した同期信号の系列が系列Ａであるか系列Ｂであるかによって、マクロセル信号であるかホームセル信号であるかを判別する。
【００３８】
また、同期信号の系列は例えば３ＧＰＰ  Ｅ−ＵＴＲＡでは数百種類存在するため、どの系列がオープンアクセスでありどの系列がＣＳＧであるかを判別することができる情報を、セル種別判別部２０３内部に記憶しておけば、ホームセル信号である場合に、オープンアクセスであるかＣＳＧであるかを判別することが可能となる。
【００３９】
なお、図７においては説明のため周波数方向の配置に関してマクロセル信号が高周波側に示されており、ホームセル信号が低周波側に示されているが、本実施形態においては、同期信号の系列の差異で区別することを特徴とするものであり、周波数帯の相対的配置はどのような配置であってもよい。また信号のタイミングも図７では説明のため各同期信号の時刻を同一として表示してあるが、これは異なっていても良い。また図７においてはその他の信号の周波数帯が同期信号の周波数帯に限られているが、実際はそれ以外の周波数帯に広がっていてもよい。
【００４０】
この動作により報知情報を受信せずに同期信号を受信し、その系列を判別するだけでマクロセルとホームセルの判別が可能になるとともに、かつホームセルであった場合にオープンアクセスであるかＣＳＧであるかの判別も可能となる。
【００４１】
＜第５の実施形態＞
次に、本発明の第５の実施形態におけるセル種別判別部２０３の動作について説明する。図８は、マクロセルとホームセルそれぞれの同期信号の配置に一部ヌル（無信号）部分を含むように構成されている場合のマクロセル信号とホームセル信号の構成を示す図である。図８において、ホームセルＡ信号は、マクロセルの同期信号と比べて同期信号の周波数方向で半分がヌル状態になっており、次の同期信号ではヌル部分と信号部分を周波数方向で入れ替えられている。一方、ホームセルＢ信号は、ある時刻にはマクロセルと同様に同期信号を送信するが、次の同期信号送信するべき時刻には同期信号を送信しない構成となっている。セル種別判別部２０３は、所定の時間において、同期信号を検出し、検出した同期信号のヌルのパターンを特定する。そして、セル種別判別部２０３は、内部に記憶されているヌルの配置（パターン）と信号の種類を関係付けた情報を参照して、検出した同期信号のヌルのパターンから、マクロセル信号であるか、ホームセルＡ信号であるか、ホームセルＢ信号であるかを判別する。
【００４２】
また、ホームセルＡ信号の同期信号のヌルパターンはオープンアクセス、ホームセルＢの同期信号のヌルパターンはＣＳＧであることを示す情報をセル種別判別部２０３内部に記憶しておけば、ホームセル信号である場合に、オープンアクセスであるかＣＳＧであるかを判別することが可能となる。
【００４３】
なお、図８においては説明のため周波数方向の配置に関してマクロセル信号が高周波側に示されており、ホームセルＡ信号及びホームセルＢ信号が低周波側に示されているが、本実施形態においては、同期信号のヌルパターンの差異で区別することを特徴とするものであり、周波数帯の相対的配置はどのような配置であってもよい。また信号のタイミングも図８では説明のため各同期信号の時刻を同一として表示してあるが、これは異なっていても良い。また図８においてはその他の信号の周波数帯が同期信号の周波数帯に限られているが、実際はそれ以外の周波数帯に広がっていてもよい。
【００４４】
この動作により報知情報を受信せずに同期信号を受信し、そのヌルパターンを判別するだけでマクロセルとホームセルの判別が可能になるとともに、かつホームセルであった場合にオープンアクセスであるかＣＳＧであるかの判別も可能となる。
【００４５】
＜第６の実施形態＞
次に、本発明の第６の実施形態におけるセル種別判別部２０３の動作について説明する。図９はマクロセルとホームセルそれぞれの同期信号のＤＣ（直流成分）サブキャリアの周波数が異なる場合の周波数分布を示す図である。図９において、マクロセル同期信号のＤＣサブキャリア周波数をｆ１、ホームセルＡ同期信号のＤＣサブキャリア周波数をｆ２、ホームセルＢ同期信号のＤＣサブキャリア周波数をｆ３として区別できるように周波数を割り当てている。セル種別判別部２０３は、同期信号を検出した場合に、検出した同期信号のＤＣサブキャリアの周波数を特定する。そして、セル種別判別部２０３は、内部に記憶されている信号の種類とＤＣサブキャリアの周波数とを関係付けた情報を参照して、特定したＤＣサブキャリアの周波数から、マクロセル信号であるか、ホームセルＡ信号であるか、ホームセルＢ信号であるかを判別する。
【００４６】
また、ＤＣサブキャリア周波数がマクロセル信号の周波数より小であればオープンアクセス、大であればＣＳＧであると定義されている場合、セル種別判別部２０３は、ｆ２＜ｆ１＜ｆ３の大小関係が成立しているか否かを判定し、ホームセルＡ信号はオープンアクセスであり、ホームセルＢ信号がＣＳＧであることを判別するようにしてもよい。
【００４７】
なお、図９の時間軸方向については説明のため各同期信号を異なる時刻で表示しているが時刻によらないものである。
【００４８】
この動作により報知情報を受信せずに同期信号を受信し、ＤＣサブキャリアの周波数を特定するだけでマクロセルとホームセルの判別が可能になるとともに、かつホームセルであった場合にオープンアクセスかＣＳＧかの判別も可能となる。
【００４９】
次に、ホームセルの検出数によって無線アクセス方式を変更する場合の効果を説明する。マクロセルに在圏している移動局が定期的にセルサーチを行い、セルサーチを行った結果ホームセルを一定数検出された状態は、たとえば集合住宅等の各部屋に個人向けに多数設置してあるホームセルの付近を移動局が通過する場合などがその状態に該当する。今後ホームセルが一般に普及にするにつれてその状態が発生する頻度が上がると予想される。そのような状態のときに従来同様マクロセルに対する無線アクセス方式のままであると不都合が生じる。なぜなら大多数のホームセルに対して移動局はアクセスできないからである。
【００５０】
前述した動作によって、ホームセルの検出数によって無線アクセス方式を変更することにより、アクセスできないホームセルに対して電波強度測定を行う必要はなくなるため、セルサーチ動作の時間間隔を変更して無駄な動作を抑制することができる。またセルサーチの周波数帯を変更してホームセルからの同期信号が含まれない周波数帯についてセルサーチを行うことができる。
【００５１】
また、無線アクセス方式の変更を行う場合に、ホームセルへのアクセスを停止する、すなわちアタッチ動作を行わないようにしたため、必ず失敗するアタッチ動作を移動局のみならず基地局とコアネットワークも行う必要がなくなり、処理動作の負荷を低減することができる。
【００５２】
本発明はマクロセルとホームセルの判別を同期信号あるいは無線シンボルの受信により行うことができるため、報知情報受信やセルリセレクションの動作を行わないようにすることができる。これにより、移動局、基地局及びコアネットワークの負荷を低減することができる。さらにオープンアクセスのホームセルであった場合にアタッチ要求する場合は、ホームセルの数が多い場合干渉電力が上り下りともに強いことが考えられ、マクロセルとの通信が良好でない可能性が高い。そのような状況のときオープンアクセスのホームセルをＣＳＧホームセルにアクセスすることなく選択することで、アクセス時間の短縮、消費電力の低減、不要な通信をしないことによる干渉低減の効果が得られる。
【００５３】
以上説明したように、移動局は報知情報を受信することなく、基地局がホームセルであるかマクロセルであるか判別ができるため、基地局においては、ホームセルの配置を的確に把握する必要がなく、ホームセル設置の自由度が高まり、ＰＬＭＮ  ＩＤを区別に使用しないためＰＬＭＮ  ＩＤが枯渇する問題を解決できる。一方移動局においてはアクセス時間が短縮され、不要な消費電流の発生を抑えて電池寿命を延ばすことができる。また検出しているホームセルの数に応じて無線アクセス方式を変更するため、不要なセルリセレクションを抑制することが可能となり、移動局の電池消費の低減、コアネットワークのシグナリング負荷の低減、不要な送受信の排除により干渉の低減を実現することができる。
【００５４】
なお、図２に示すセル種別判別部２０３の機能を実現するためのプログラムをコンピュータ読み取り可能な記録媒体に記録して、この記録媒体に記録されたプログラムをコンピュータシステムに読み込ませ、実行することによりホームセル基地局とマクロセル基地局の判別処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【図面の簡単な説明】
【００５６】
【図１】本発明の移動通信端末装置が用いられる無線通信システムの概略図である。
【図２】第１の実施形態に係る移動局の構成の概略を示すブロック図である。
【図３】第１の実施形態における信号構成の一例を示す図である。
【図４】第１の実施形態の移動局の動作を示すフローチャートである。
【図５】本発明の第２の実施形態に係る信号構成の一例を示す図である。
【図６】本発明の第３の実施形態に係る信号構成の一例を示す図である。
【図７】本発明の第４の実施形態に係る信号構成の一例を示す図である。
【図８】本発明の第５の実施形態に係る信号構成の一例を示す図である。
【図９】本発明の第６の実施形態に係る信号構成の一例を示す図である。
【符号の説明】
【００５７】
１１０、１１１、１１２、１１３…移動局、１２０、１２１、１２２、１２３…ホームセル基地局、１３０、１３１…マクロセル基地局、２０１…アンテナ部、２０２…受信部、２０３…セル種別判別部、２０４…ホームセル数記憶部、２０５…送信部、２０６…通信制御部、２０７…アプリケーション部
【図１】
2010147916.tif 000003
【図２】
2010147916.tif 000004
【図３】
2010147916.tif 000005
【図４】
2010147916.tif 000006
【図５】
2010147916.tif 000007
【図６】
2010147916.tif 000008
【図７】
2010147916.tif 000009
【図８】
2010147916.tif 000010
【図９】
2010147916.tif 000011